(57)【特許請求の範囲】
【請求項１】
空気流装置用のダンパーであって、
空気流開口部を有する支持面から支持された内側調節板及び外側調節板を有し、
前記内側調節板及び前記外側調節板の各々は、それぞれに形成された複数の孔を有しており、前記内側調節板の孔と、前記外側調節板の孔は、食い違う構成であり、
前記空気流開口部の周囲の周りで、前記内側調節板と前記支持面との間に設けられた第一密封手段と、
前記内側調節板の孔および前記外側調節板の孔の外周の周りで、前記内側調節板と前記外側調節板との間に設けられた第二密封手段と、
前記空気流開口部を有する支持面に固定され、かつ、前記内側調節板を貫通して延びる、複数の間隔を隔てたガイド又は保持要素と、
前記空気流開口部を通る空気の流れを調節しかつこれを拡散させるために、前記内側調節板及び前記外側調節板を互いに近づけたり遠ざけたりし、かつ、前記内側調節板及び前記外側調節板を、前記支持面に対して近づけたり遠ざけたりするための駆動要素とを備え、
前記内側調節板が回転しないようにして、かつ、前記内側調節板が前記空気流開口部を有する支持面から離れることができる距離を制限するように、前記ガイド又は保持要素は前記内側調節板を固定しており、
前記駆動要素は、前記空気流開口部の中の梁又はブラケットに回転自在に取り付けられたねじ部を有するロッドを含んでおり、
前記駆動ロッドは、ナット又は保持要素によって前記梁又はブラケットに固定されており、
前記ナット又は保持要素は、前記梁又はブラケットに前記ロッドを固定して、前記駆動ロッドが、前記空気流開口部の中へ更に軸線方向に動くことができるが、前記空気流開口部から出ることができないようになっており、
前記駆動要素は、前記内側調節板及び前記外側調節板の合致する非円形孔を貫通する、非円形の雌ねじ付きトラベラー含んでおり、
前記外側調節板は、前記駆動要素の一部を形成する非円形の雌ねじ付きトラベラーで支持され、かつ、前記トラベラーに固定されており、
前記駆動要素は、前記内側調節板及び前記外側調節板の合致する非円形孔を通り、非円形の雌ねじ付きトラベラーと協働するねじ部を有するロッドを含んでおり、
前記駆動ロッドが、前記空気流開口部の中へ更に軸線方向に動かされ、或いは、前記空気流開口部から出るように軸線方向に動かされるとき、前記協働する非円形の雌ねじ付きトラベラーと、前記非円形の雌ねじ付きトラベラーで支持されかつ前記非円形の雌ねじ付きトラベラーに固定された前記外側調節板は、前記内側調節板及び前記空気流開口部に対して近づけたり遠ざけたりするように軸線方向に移動するように構成される、
ことを特徴とするダンパー。
【請求項２】
空気流装置用のダンパーであって、
空気流開口部を有する支持面から支持された内側調節板及び外側調節板を有し、
前記内側調節板及び前記外側調節板の各々は、それぞれに形成された複数の孔を有しており、前記内側調節板の孔と、前記外側調節板の孔は、食い違う構成であり、
前記空気流開口部の周囲の周りで、前記内側調節板と前記支持面との間に設けられた第一密封手段と、
前記内側調節板の孔および前記外側調節板の孔の外周の周りで、前記内側調節板と前記外側調節板との間に設けられた第二密封手段と、
前記空気流開口部を有する支持面に固定され、かつ、前記内側調節板を貫通して延びる、複数の間隔を隔てたガイド又は保持要素と、
前記空気流開口部を通る空気の流れを調節しかつこれを拡散させるために、前記内側調節板及び前記外側調節板を互いに近づけたり遠ざけたりし、かつ、前記内側調節板及び前記外側調節板を、前記支持面に対して近づけたり遠ざけたりするための駆動要素とを備え、
前記内側調節板が回転しないようにして、かつ、前記内側調節板が空気流開口部を有する支持面から離れることができる距離を制限するように、前記ガイド又は保持要素は前記内側調節板を固定しており、
前記駆動要素は、前記空気流開口部の中の梁又はブラケットに回転自在に取り付けられたねじ部を有するロッドを含んでおり、
前記駆動ロッドは、ナット又は保持要素によって前記梁又はブラケットに固定されており、
前記ナット又は保持要素は、前記梁又はブラケットに前記ロッドを固定して、前記駆動ロッドが、軸線方向に動くことができないようにしており、
前記駆動要素は、前記内側調節板及び前記外側調節板の合致する非円形孔を貫通する、非円形の雌ねじ付きトラベラー含んでおり、
前記外側調節板は、前記駆動要素の一部を形成する非円形の雌ねじ付きトラベラーで支持され、かつ、前記トラベラーに固定されており、
前記駆動要素は、前記内側調節板及び前記外側調節板の合致する非円形孔を通り、非円形の雌ねじ付きトラベラーと協働するねじ部を有するロッドを含んでおり、
前記非円形の雌ねじ付きトラベラーが、前記ガイド又は保持要素によって回転しないようにされた前記内側調節板の合致する非円形孔を貫通するので、前記駆動ロッドが回転されるとき、前記協働する非円形の雌ねじ付きトラベラーは、前記駆動ロッドの前記ねじ部にそって軸線方向に移動するように構成される、
ことを特徴とするダンパー。
【請求項３】
前記空気流開口部を有する支持面は、クリーンルーム用の空気濾過器モジュールのフードであることを特徴とする、請求項１又は２に記載のダンパー。
【請求項４】
前記第一密封手段は、前記内側調節板及び前記空気流開口部を有する支持面と協働するガスケットであり、前記第二密封手段は、前記内側調節板及び前記外側調節板と協働するガスケットであることを特徴とする、請求項１から３のいずれか一項に記載のダンパー。
【請求項５】
前記内側調節板及び前記外側調節板は円形であり、前記内側調節板の孔と、前記外側調節板の孔は、三角形に形成されていることを特徴とする、請求項１から４のいずれか一項に記載のダンパー。
【発明の詳細な説明】
【０００１】
（技術分野）
本発明は、一般的には、空気流装置に関し、特に、空気入口からクリーンルーム空気濾過器装置のような種々の領域への空気流を調整し、かつ拡散させるためのダンパーに関する。
【０００２】
（背景技術）
電気産業、医療産業及び製薬産業のような多くの産業に普通に使用されるクリーンルームのような多くの種類の部屋は、空気中の粒子の数を規定限度にまで減らすために、濾過器装置への空気流を制御するダンパーを使用する。最も一般的なやり方では、平らな濾過器の層が天井又は側壁から懸架され、濾過器は部屋の天井又は側壁の全領域に及んでいる。空気は、送風機から配管、又は加圧プレナムを通って、次いで、濾過器を通ってクリーンルームの開放空間へ導かれる。空気は、クリーンルームの出口を経由して送風機又はプレナムに戻される。クリーンルーム内の空気は、汚れた空気即ち非濾過空気が中に入らないように、高い圧力である。好ましくは、クリーンルームへの空気流は、送風機又は加圧プレナムと濾過要素との間に配置した弁又はダンパーによって調節される。所望の流量及び加圧されたクリーンルームを維持するために、空気流の正確な調節が必要である。クリーンルームへの空気流を調節するための改良された調節弁又はダンパーを準備する多くの試みがなされてきた。
【０００３】
ラフ氏に付与された米国特許第４６６６４７７号には、複数の孔を有する固定板が、更なる複数の孔を有し、固定板の上に取り付けられた可動発泡体板を有するクリーンルーム可調整ダンパーが記載されている。板と板との間の相対的な移動は、孔を移動させて整合させたり、又は、整合させなかったりして、濾過要素への空気の流れを調節する。移動は、固定板に関して可動発泡体板を側方に移動させる、カム面に作動するカムを回転させることによって得られる。
【０００４】
クリーンルーム濾過器装置を通る空気の流れを調節するために、整合した開口部を有する隣接した板を側方に移動させる他の装置も知られている。
【０００５】
しかしながら、空気入口からクリーンルーム等への空気の流れを、より正確かつ効果的に調節しかつ拡散させる改良ダンパーを提供することが依然として望ましい。
【０００６】
（発明の開示）
本発明は、天井又は側壁に使用され、そして、より効率的で、よりよく機能し、かつ使い易いクリーンルーム濾過器装置用の改良ダンパーを提供する。本発明は、空気流をより確実に調節しかつ拡散させ、また、空気流の事実上完全な遮断を可能にする、複数の間隔を隔てた板を有するダンパーを提供する。複数の間隔を隔てた板は、開位置から閉位置に軸線方向に容易に移動できるように、濾過器蓋パネル又は他の支持面から支持される。各板部材は、支持ロッド又は調節要素に往復運動可能に取り付けられ、そして、複数の非整列の孔を有する。
【０００７】
本発明のダンパーは、ダクト付き装置、送風機の動力付き装置、又は、加圧プレナムタイプの装置のような、どんなタイプの加圧装置にも利用することができる。あらゆる変形例を、濾過器装置内で、交換し、又は、これを混合することができる。本発明のダンパーは、フード又は蓋パネルを有するダクト付き濾過器モジュールに使用するとき、蓋パネルによって保持され又は支持される。ダクト付き濾過器モジュールの変形例のための空気供給ダクト工作物は、各モジュールの蓋パネルの上側に直接取り付けられ、かくしてモジュールの濾過要素から独立したダクト連結部を構成する。各ダクト付き濾過器モジュールの蓋パネルは、供給空気を拡散させ、かつ供給空気の量を変化させて、バランスさせたり微調整したりするために、或いは空気の流れを完全に遮断するために、供給ダクト連結部に本発明のダンパーを有する。ダンパーは、空気流をより正確にかつ確実に調節し、かつ拡散させるために、空気入口へ軸線方向にのみ作動する別々の要素を有する。
【０００８】
したがって、本発明の一般的な目的は、空気流装置用の改良ダンパーを提供することにある。本発明の特定の目的は、個々の濾過器モジュールからなるクリーンルーム空気濾過器装置用の改良ダンパーを提供することにある。本発明の他の特定の目的は、濾過器モジュールの空気入口へ軸線方向に移動する、複数の非整列の孔を有する別々の板からなるクリーンルーム空気濾過器装置用の改良ダンパーを提供することにある。本発明の更に他の特定の目的は、空気流の事実上完全な遮断を濾過器モジュールに与える、クリーンルーム空気濾過器装置用の改良ダンパーを提供することにある。本発明のまた更に他の特定の目的は、濾過器装置のクリーンルーム側から動作され、クリーンルーム空気濾過器装置用の改良ダンパーを提供することにある。
【０００９】
本発明のこれら及び他の目的は、空気入口を有する濾過器モジュールの蓋、天井又は他の支持面から支持された、複数の軸線方向に可動な板を有する、空気流装置用のダンパーを提供することによって達成される。各軸線方向に可動な板は、複数の孔を有し、孔は空気供給装置から吹き込まれる空気の流れを調節しかつ拡散させるために、整列していない。ガスケットが可動板と協働して、該可動板を密封し、ダンパーは、複数の可動板を開位置と閉位置との間で作動する中央回転駆動部材を有する。
【００１０】
（実施例）
新規であると思われる、本発明の目的及び構成は、添付の請求項に詳細に記述されている。本発明は、その構成と作動の方法の両方について、更なる目的及び利点とともに、添付図面と関連してなされる、以下の説明を参照することによって、最もよく理解される。
【００１１】
以下の説明は、当業者が本発明をし、かつこれを使用することができるようになっており、そして、発明者によって考えられ、本発明を実施する最良の態様を示す。しかしながら、全図を通して全体的に１０で指示した、空気供給装置及び特にクリーンルーム空気濾過器装置用改良ダンパーに提供するために、本発明の一般的な原理をここに定義したので、種々の変形例が、当業者にとって容易に明らかになるであろう。
【００１２】
図面に示すように、ダンパー１０の好ましい実施形態が、天井モジュール空気濾過器装置用として図示されている。しかしながら、本発明のダンパーを、他のクリーンルーム空気濾過器装置に使用してもよいし、或いは濾過されていない非クリーンルーム装置にも使用してもよいことを理解すべきである。
【００１３】
まず、図１を参照すると、複数の間隔を隔てた調節板１４、１５を有する、天井モジュール濾過器装置１２（図５乃至図７参照）用のダンパー１０が示されている。限定としてではなく、説明のみの理由で、調節板１４、１５は、円形であるとして、かつ調節板に三角形の孔又は開口部１６、１８を有するものとして説明され、かつ図示されている。しかしながら、調節板は長円形又は矩形のようなどんな形状でもよく、孔１６、１８はどんな所望の形状でもよく、又どんな数を使用してもよいことは明らかである。調節板１４、１５はまた、以下でもっと完全に説明するように、複数の保持要素２２及びトラベラー３６によって、蓋パネルのような支持面２０から懸架されるものとして示されている。蓋パネル２０は、例えば、蓋パネルの各隅の支持ブラケットによって、天井又は他の支持構造から支持され、或いは、支持された濾過器モジュール枠に取り付けられる。蓋パネル２０は、隙間空間２５のダクト２３からの空気流のための中央開口部２１を有する。ダンパ１０は、空気ダクト２３又は蓋パネル２０の上のプレナム（図示せず）からの空気の流れを調節する。
【００１４】
調節板１４、１５は、同一寸法でもよいし、異なる寸法でもよい。調節板１４及び１５は、蓋パネル２０の下に、場合により蓋パネルに隣接して取り付けられ、内側の調節板１５に形成された開口部２６及び密封用ガスケット３０に形成された更なる開口部２８を貫通するガイド又は保持要素２２を有する。ガイド又は保持要素２２は、中央開口部２１の周りで、蓋パネル２０に設けられた開口部３２に捕捉される。図示したガイド又は保持要素の代わりに、他のタイプのガイド、保持要素又はピン２２を用いてもよいことを理解すべきである。トラベラー３６（図５乃至図７参照）が、中央開口部２１に渡る梁４０に回転自在に取り付けられた駆動要素又はロッド２４のねじ部３４に螺合している。ナット等のようなホルダー３８が、梁４０の両側で駆動要素又はロッド２４にピン留めされ、さもなければ固定され、それによって、駆動要素又はロッド２４を、回転可能な、しかし軸線方向に動かない方法で保持する。しかしながら、駆動要素又はロッド２４は、好ましくは、軸線方向に動かないままであるが、軸線方向に移動できるようになっていてもよいことを指摘すべきである。
【００１５】
図２乃至図７に示すように、ダンパを中央開口部２１に隣接して又は中央開口部２１の下で、適所に取り付け或いは懸架するとき、工具４２によって、梁４０内及び中空濾過器ディバイダー４６の上部シール４５内の駆動要素２４を回転させることによって、内側の調節板１５及び外側調節板１４を中央開口部に軸線方向に近づけたり遠ざけたりする。工具４２を、濾過器要素１２の中空濾過器ディバイダー４６の下部開口部４４から挿入する。工具４２は内端４８を有し、該内端は駆動要素２４の外端と協働して、開位置と閉位置との間の外側調節板１４及び内側調節板１５の調節を可能にし、空気ダクト２３から、或いは加圧プレナムから中央開口部２１を通り、濾過器要素１２を通る空気の流れを調節する。
【００１６】
今、ダンパ１０の作動を説明する。工具４２を、図６及び図７に矢印５０で示すように、時計回り又は反時計回りのいずれかに回すとき、駆動装置は作動される。すなわち、駆動要素２４を梁４０内で回転させて、ねじ部３４を回転させる。ナット３８によって軸線方向に拘束されている駆動要素２４のねじ部３４を回転させるとき、駆動要素はトラベラー３６の雌ねじ内で回転し、トラベラーは、好ましくは、非円形であり、かつ外側調節板１４及び内側調節板１５の合致した非円形中央開口部を貫通して、調節板１４と非円形トラベラー３６の両方が回転しないようにする。例えば、外側調節板１４及び内側調節板１５が、図３及び図５に示すように、ガスケット３０及び３１に向かって閉じられ、中央開口部２１を密封して空気流を止めるとき、調節板は以下のように開かれる。
【００１７】
駆動要素２４を、工具４２によってシール４５内で回転させて、ナット３８で保持された、ねじ部３４の内端を梁４０の開口部内で回転させ又は回し、回らないようにされたトラベラー３６を軸線方向に移動させ、これによって、内側調節板１４及び外側調節板１５の両方を、蓋パネル２０及び中央開口部２１を取り囲むガスケット３０から、矢印５２（図６参照）の方向に、軸線方向に遠ざける。内側調節板１５は、開口部２６を貫通するガイド又は保持要素２２（保持要素のうち四つを図示する）によって適所に保持されているため、回転しない。その上、外側調節板１４は、トラベラー３６に固定されたワッシャ１９で支持され、かつこれに弾性的に固定されているので、外側調節板は、外側調節板１４と内側調節板１５の両方に形成された、合致した非円形の開口部を貫通する非円形のトラベラー３６により、回転することができない。
【００１８】
内側調節板１５が保持要素２２の停止部又は外側部分に達するとき、内側調節板はその軸線方向の移動を停止し、そして、外側調節板１４は、トラベラー３６内で駆動要素２４のねじ部３４が回転するため、上部調節板１５から矢印５４（図７参照）の方向に、軸線方向に移動し続ける。これにより、今開いた、間隔を隔てた食い違い開口部１６及び１８を通して更なる空気流を可能にする。
【００１９】
調節板１４、１５を完全に又は部分的に閉じるために、工具４２を反対方向に回転させて、トラベラー３６内で駆動要素２４のねじ部３４を反対方向に回転させる。これにより、トラベラー３６及び外側調節板１４を軸線方向内方に移動させ、ついには、ガスケット３１が内側調節板１５の外面に接触し、それによって食い違い開口部１６、１８を閉じる。駆動要素２４のねじ部３４の更なる回転により、トラベラー３６と外側調節板１４及び内側調節板１５を軸線方向に移動させ、ついには、内側調節板がガスケット３０に接触して開口部２１を完全に密封する。
【００２０】
したがって、本発明は、クリーンルーム用の空気濾過器装置における空気流をより正確かつ確実に調整するための改良ダンパーを提供し、かつまた、食い違い開口部を形成した二つの軸線方向に可動な板の使用によって、空気濾過器装置における空気流の実質的に完全な遮断を可能にし、板は、これが閉位置にあるとき、密封を行う協働するガスケットを有することが分かる。
【００２１】
当業者は、上述の好ましい実施形態の種々の適用例及び変形例を、本発明の範囲及び精神から逸脱することなく、形成し得ることを認識するであろう。したがって、添付の特許請求の範囲内で、本発明をここに特に記述した以外で、実施してもよいことを理解すべきである。
【図面の簡単な説明】
【図１】  ダクト付き濾過器モジュールに使用された如き、本発明のダンパーを示す、分解斜視図である。
【図２】  部分閉位置における本発明のダンパーを示す部分斜視図である。
【図３】  閉位置における本発明のダンパー、及び、ダンパー用の操作工具を示す斜視図である。
【図４】  開位置における本発明のダンパーを示す部分斜視図である。
【図５】  ダンパー板を一つの位置で示した、中空ディバイダーを有するダンパ付き濾過器モジュール内に取り付けられた本発明のダンパーの拡大部分斜視図である。
【図６】  ダンパー板を他の位置で示した備えた、中空ディバイダーを有するダンパ付き濾過器モジュール内に取り付けられた本発明のダンパーの拡大部分斜視図である。
【図７】  ダンパー板を更に他の位置で示した備えた、中空ディバイダーを有するダンパ付き濾過器モジュール内に取り付けられた本発明のダンパーの拡大部分斜視図である。
【図１】
0004790971.tif 000002
【図２】
0004790971.tif 000003
【図３】
0004790971.tif 000004
【図４】
0004790971.tif 000005
【図５】
0004790971.tif 000006
【図６】
0004790971.tif 000007
【図７】
0004790971.tif 000008